【手続補正書】
【提出日】令和3年10月11日(2021.10.11)
【手続補正１】
【補正対象書類名】明細書
【補正対象項目名】０００６
【補正方法】変更
【補正の内容】
【０００６】
上記目的を達成するため、本発明の一実施形態に係る電子鍵盤楽器は、複数の鍵を有する鍵盤と、押鍵に応じて出力させた楽音の振幅を離鍵に応じて減少させていく場合に、単位時間当たりの振幅の減少幅である減衰率を、離鍵後の第１期間では時間とともに増加させ、前記第１期間後の第２期間では時間とともに減少させるように制御する制御部と、を備える。
【手続補正２】
【補正対象書類名】特許請求の範囲
【補正対象項目名】全文
【補正方法】変更
【補正の内容】
【特許請求の範囲】
【請求項１】
複数の鍵を有する鍵盤と、
押鍵に応じて出力させた楽音の振幅を離鍵に応じて減少させていく場合に、単位時間当たりの振幅の減少幅である減衰率を、離鍵後の第１期間では時間とともに増加させ、前記第１期間後の第２期間では時間とともに減少させるように制御する制御部と、
を備える電子鍵盤楽器。
【請求項２】
前記制御部は、前記減衰率を、前記第１期間では時間経過に従って第１減衰率から前記第１減衰率よりも減衰率が大きい第２減衰率へと変化させ、前記第１期間後の第２期間では時間経過に従って第３減衰率から前記第３減衰率よりも減衰率が小さい第４減衰率へと変化させる、
請求項１に記載の電子鍵盤楽器。
【請求項３】
前記制御部は、楽音の振幅が或るレベルより大きい場合は前記減衰率を時間とともに増加させ、楽音の振幅が或るレベルより小さい場合は前記減衰率を時間とともに減少させる、
請求項１または２に記載の電子鍵盤楽器。
【請求項４】
前記制御部は、離鍵速度が速いほど離鍵後の前記減衰率が大きくなるように制御する、
請求項１乃至３のいずれか一項に記載の電子鍵盤楽器。
【請求項５】
複数の鍵を有する鍵盤と、
楽音データと、前記楽音データに基づいて発音されている音を離鍵後の時間経過に応じて消音化を含む弱音化させるための減衰カーブの特性を示すデータと、を記憶しているメモリーと、
少なくとも１つのプロセッサと、
を備え、
前記少なくとも１つのプロセッサは、
離鍵の検出により、前記楽音データに基づいて発音されている音に対する消音化を含む弱音化指示を受け付ける弱音化指示受信処理と、
前記弱音化指示受信処理により受け付けられた前記弱音化指示に応じて、出力される前記楽音データの第１振幅を取得する振幅取得処理と、
前記メモリーに記憶されている前記減衰カーブの特性を示すデータを参照することにより、前記振幅取得処理により取得された前記第１振幅に応じて決定される第２振幅で前記楽音データを出力することにより、前記楽音データに基づく音を発音させる発音処理と、
を実行し、
前記減衰カーブの特性は、第１タイミングから前記第１タイミング後の第２タイミングまでの第１減衰量が、前記第２タイミングから前記第２タイミング後の第３タイミングまでの第２減衰量より少ない第１特性と、前記第３タイミング後の第４タイミングから前記第４タイミング後の第５タイミングまでの第３減衰量が、前記第５タイミングから前記第５タイミング後の第６タイミングまでの第４減衰量より少なくない第２特性と、を有することにより、前記第１振幅が或るレベルより大きい場合に前記第１特性に応じて発音される楽音が減衰し、前記第１振幅が或るレベルより小さい場合に前記第２特性に応じて発音される楽音が減衰する、
電子鍵盤楽器。
【請求項６】
前記第１振幅と、離鍵に応じて検出される離鍵速度と、に基づいて前記第２振幅を決定する決定処理、を実行し、
前記発音処理は、前記決定処理により決定された前記第２振幅で前記楽音データを出力することにより、前記楽音データに基づく音を発音させる、請求項５に記載の電子鍵盤楽器。
【請求項７】
前記決定処理により決定される前記第２振幅は、前記離鍵速度が第１速度よりも速いときは、前記第１速度のときよりも小さい、請求項６に記載の電子鍵盤楽器。
【請求項８】
前記減衰カーブの特性は、或る音よりも低域の減衰カーブの特性と、前記或る音よりも高域の減衰カーブの特性と、で異なる、請求項５〜請求項７のいずれかに記載の電子鍵盤楽器。
【請求項９】
前記減衰カーブの特性は、設定される音色毎に異なる、請求項５〜請求項８のいずれかに記載の電子鍵盤楽器。
【請求項１０】
複数の鍵を有する鍵盤と、
楽音データと、前記楽音データに基づいて発音されている音を離鍵後の時間経過に応じて消音化を含む弱音化させるための減衰カーブの特性を示すデータと、を記憶しているメモリーと、
を有する電子鍵盤楽器のコンピュータに、
離鍵の検出により、前記楽音データに基づいて発音されている音に対する消音化を含む弱音化指示を受け付ける弱音化指示受信処理と、
前記弱音化指示受信処理により受け付けられた前記弱音化指示に応じて、出力される前記楽音データの第１振幅を取得する振幅取得処理と、
前記メモリーに記憶されている前記減衰カーブの特性を示すデータを参照することにより、前記振幅取得処理により取得された前記第１振幅に応じて決定される第２振幅で前記楽音データを出力することにより、前記楽音データに基づく音を発音させる発音処理と、
を実行させ、
前記減衰カーブの特性は、第１タイミングから前記第１タイミング後の第２タイミングまでの第１減衰量が、前記第２タイミングから前記第２タイミング後の第３タイミングまでの第２減衰量より少ない第１特性と、前記第３タイミング後の第４タイミングから前記第４タイミング後の第５タイミングまでの第３減衰量が、前記第５タイミングから前記第５タイミング後の第６タイミングまでの第４減衰量より少なくない第２特性と、を有することにより、前記第１振幅が或るレベルより大きい場合に前記第１特性に応じて発音される楽音が減衰し、前記第１振幅が或るレベルより小さい場合に前記第２特性に応じて発音される楽音が減衰するように実行させる方法。
【請求項１１】
複数の鍵を有する鍵盤と、
楽音データと、前記楽音データに基づいて発音されている音を離鍵後の時間経過に応じて消音化を含む弱音化させるための減衰カーブの特性を示すデータと、を記憶しているメモリーと、
を有する電子鍵盤楽器のコンピュータに、
離鍵の検出により、前記楽音データに基づいて発音されている音に対する消音化を含む弱音化指示を受け付ける弱音化指示受信処理と、
前記弱音化指示受信処理により受け付けられた前記弱音化指示に応じて、出力される前記楽音データの第１振幅を取得する振幅取得処理と、
前記メモリーに記憶されている前記減衰カーブの特性を示すデータを参照することにより、前記振幅取得処理により取得された前記第１振幅に応じて決定される第２振幅で前記楽音データを出力することにより、前記楽音データに基づく音を発音させる発音処理と、
を実行させ、
前記減衰カーブの特性は、第１タイミングから前記第１タイミング後の第２タイミングまでの第１減衰量が、前記第２タイミングから前記第２タイミング後の第３タイミングまでの第２減衰量より少ない第１特性と、前記第３タイミング後の第４タイミングから前記第４タイミング後の第５タイミングまでの第３減衰量が、前記第５タイミングから前記第５タイミング後の第６タイミングまでの第４減衰量より少なくない第２特性と、を有することにより、前記第１振幅が或るレベルより大きい場合に前記第１特性に応じて発音される楽音が減衰し、前記第１振幅が或るレベルより小さい場合に前記第２特性に応じて発音される楽音が減衰するように実行させるプログラム。